(57)【要約】【課題】誰でも簡単に上側筐体を開くことができるとともに、手などで掴んだときに落としにくいようにする。【解決手段】下側筐体１に対しヒンジ部を介して上側筐体２を開閉可能に取り付けた携帯情報端末機器であって、上側筐体２の方を下側筐体１よりも小さく形成した。【選択図】  図１
2006222472.tif 000002
【特許請求の範囲】
【請求項１】
第１筐体に対しヒンジ部を介して第２筐体を開閉可能に取り付けた携帯情報端末機器であって、
前記第２筐体の方を前記第１筐体よりも小さく形成したことを特徴とする携帯情報端末装置。
【請求項２】
前記第２筐体の縦横少なくともいずれかの長さが、これに対応する前記第１筐体の縦横の長さよりも短尺に形成したことを特徴とする請求項１に記載の携帯情報端末装置。
【請求項３】
第１筐体の長辺側の側縁部に、前記ヒンジ部の一方を構成する第１ヒンジ部を設けるとともに、
前記第１筐体の前記第１ヒンジ部を設けた長辺側の長さよりも、前記ヒンジ部の他方を構成する前記第２筐体の第２ヒンジ部を設けた長辺側の長さの方を、短尺に形成したことを特徴とする請求項１又は２に記載の携帯情報端末装置。
【請求項４】
前記第１筐体の前記第２筐体と対向する内面において、前記第２筐体を閉鎖させたときに外部に露出している領域に、音を検出する送話口を設けたことを特徴とする請求項１〜３のいずれか１項に記載の携帯情報端末装置。
【請求項５】
前記ヒンジ部内に出し入れ可能にアンテナを収納したことを特徴とする請求項１又は３に記載の携帯情報端末装置。
【請求項６】
前記第２筐体の短尺辺が縦側の辺であって、第２筐体の下部側が欠如していることを特徴とする請求項１〜５のいずれか１項に記載の携帯情報端末装置。
【発明の詳細な説明】
【０００１】
【発明の属する技術分野】
この発明は、情報端末機器に係り、特に２つの筐体を開閉することができる携帯情報端末装置に関するものである。
【０００２】
【従来の技術】
周知のように、携帯電話機が各種開発され多用されている。この携帯電話機にあっては、筐体部分を大別して、開閉しないタイプのものと開閉可能なタイプのものとの２種類のものが知られている。
【０００３】
また、このような開閉可能な携帯電話機にあっては、携帯電話機としての機能のみを有するのではなく、例えば、携帯電話機と電子手帳との双方の機能を兼ね備えたものなども提案され開発されており、電子手帳で処理した情報を他の場所へ無線で送信することが可能となっている。このような電子手帳機能を備えた携帯電話機として、例えば、普段閉じているときには携帯電話機として使用し、開くと電子手帳として使用できる開閉式のものも知られている。
【０００４】
【発明が解決しようとする課題】
しかしながら、このような開閉式の携帯電話機にあっては、通常、下側筐体とヒンジ部を介してこの下側筐体に開閉可能な上側筐体とが縦横略同一寸法に形成されているので、下側筐体と上側筐体とを閉じ合わせてしまうと、上側筐体を開くときの操作が難しくなる。
【０００５】
そこで、例えば、下側筐体と上側筐体との一方に窪みや突起が形成されていれば、そこに指などを掛けて開くことが容易であるが、通常、このような窪みや突起部分が形成されていないので、例えば双方の筐体の閉じ合わせ部分の隙間に指や爪などを無理やり押し込んで開いたり、一方の筐体の両側面部分を指で挟むような方法で押し開かせることが多い。
【０００６】
しかも、このような下側筐体と上側筐体との間を開閉自在に取り付けるヒンジ部に自閉用のばねなどを介装させてあると、前述したいずれの方法であっても、上側筐体を開くときに自閉力に抗してある程度大きな力を加えなければならないので、開くときの操作がさらに難しくなる。
【０００７】
また、このような下側筐体と上側筐体とが略同一寸法に形成されているものでは、閉じ合わせた状態のものを手で持ったときに、凹凸などの引っ掛かりがないと、誤って下に落として破損したり、水中に落として故障の原因となる虞れもある。
【０００８】
そこで、この発明は、上記した事情に鑑み、誰でも簡単に上側筐体を開くことができるとともに、手などで掴んだときに落とし難い携帯情報端末機器を提供することを目的とするものである。
【０００９】
【課題を解決するための手段】
この発明は、第１に、第１筐体に対しヒンジ部を介して第２筐体を開閉可能に取り付けた携帯情報端末機器であって、
前記第２筐体の方を前記第１筐体よりも小さく形成したことを特徴としている。
【００１０】
これにより、第２筐体よりも長尺の第１筐体には、第２筐体に閉合されず残った領域、つまり外部に一部が露出する領域が形成されているので、この露出領域を保持することで安定した状態で第１筐体を保持でき、第２筐体を容易に開くことができるとともに、誤って落とすといったことも防止できる。
【００１１】
また、第２に、前記第２筐体の縦横少なくともいずれかの長さを、これに対応する前記第１筐体の縦横の長さよりも短尺に形成することができる。
【００１２】
また、第３に、第１筐体の長辺側の側縁部に、前記ヒンジ部の一方を構成する第１ヒンジ部を設けるとともに、
前記第１筐体の前記第１ヒンジ部を設けた長辺側の長さよりも、前記ヒンジ部の他方を構成する前記第２筐体の第２ヒンジ部を設けた長辺側の長さの方を、短尺に形成することができる。
【００１３】
また、第４に、前記第１筐体の前記第２筐体と対向する内面において、前記第２筐体を閉鎖させたときに外部に露出している領域に、音を検出する送話口を設けるのが好ましい。
【００１４】
これにより、携帯電話機能を構成する各種の電子部品などを第１筐体内部に設置している場合には、第２筐体内部に送話口を設ける構成のものに比べて、電気的接続が簡略にすることができる。
【００１５】
また、第５に、前記ヒンジ部内に出し入れ可能にアンテナを収納してもよい。
【００１６】
これにより、特に、第１の内面及び第２筐体の外面部分にはアンテナが露出することがないので、第１、第２筐体が開閉いずれの状態であっても、アンテナが邪魔して筐体が揺動し、操作が不確実になるといったことを防止できる。
【００１７】
また、第６に、前記第２筐体の短尺辺が縦側の辺であって、第２筐体の下部側が欠如している形状が好ましい。
【００１８】
このように構成すれば、双方の筐体を閉合させて縦向きで使用する場合には、第１筐体の下部側が外部に露出するが、この露出部分と第２筐体との境界部分では、この境界部分よりも上部の方が水平方向に突出した状態となるので、この境界部分に段差が形成され、ここに指などを添えれば、落下するのを効果的に防止できる。
【００１９】
【発明の実施の形態】
以下、この発明の実施の形態について、添付図面を参照しながら詳細に説明する。
図１は、この発明に係る携帯情報端末装置を開いたときの状態を示すものである。この実施形態に係る携帯情報端末装置は、大略構成として、第１筐体である下側筐体１と、第２筐体である上側筐体２と、下側筐体１と上側筐体２とを連結するヒンジ部３と、アンテナ４とを備えており、開いた時には情報処理管理装置、例えば電子手帳として、また閉じたときには携帯電話機として、これらの機能を切替えて使用できるように構成されている。
【００２０】
この実施形態の下側筐体１は、図２に示すように、縦側が短辺、横側が長辺となる横向きで電子手帳として使用するものであって、内面１Ａ部分には一段窪ませた凹部１ａを設けている。この凹部１ａには、上側筐体２が収納されるようになっているが、完全には収まり切れず、外面２Ｂ部分が長さＳ(図１参照)だけ突出している。なお、この下側筐体１の凹部１ａには、この下側筐体１に内蔵する電子手帳機能を操作するためのキースイッチ１１ａを取り付けたキーボード１１を設けている。
【００２１】
また、この下側筐体１には、内面１Ａ部分の凹部１ａと境界を接する段部１ｂを挟んで凸部１ｃを設けており、この凸部１ｃには、送話口１２を設けている。さらに、この下側筐体１には、アンテナ４を所定方向に指向して保持するために、支持部材１３がヒンジ部３側の側部の角隅部分に嵌着されている。
【００２２】
この送話口１２には、相手側との通話の際にこの送話者側の音声を検出するマイクロフォンなどを配設しており、下側筐体１の内部にこの送話口１２のマイクロフォンと接続される送話ユニットを設けている。そして、この送話口１２は、凸部１ｃに配置することにより、上側筐体２を閉鎖させた場合であっても、外部へ露出するように構成されている。また、送話口１２が下側筐体１に設けられているので、上側筐体２を開けた状態でも送話可能である。
【００２３】
上側筐体２は、図１及び図２に示すように、縦側が長辺、横側が短辺となる縦向きで携帯電話機として使用するものである。そして、この上側筐体２は、縦辺（長辺）部分が、下側筐体１の縦辺（長辺）よりも長さＳ（図１参照）だけ短尺に形成されており、この縦辺部分より下側の部分が欠落・欠如しているために、上側筐体２を閉じても下側筐体１の凸部１ｃ部分が常時外部に剥き出し状態となっている。
【００２４】
また、この上側筐体２には、下側筐体１の内面１Ａと対向する内面２Ａに、情報、例えば処理管理情報などを表示する液晶表示画面２１を設けているとともに、外面２Ｂには、図２に示すように、携帯電話機として使用するときの操作のために、例えば液晶表示画面２３、受話口２４などとともにマルチコントローラ２６やダイアルスイッチ２７などを設けている。
【００２５】
ヒンジ部３は、下側筐体１に対して上側筐体２を開閉可能に取付けるものであって、このヒンジ部３の内部には、図３に示すように、出し入れ可能にアンテナ４を収納している。特に、このヒンジ部３では、下側筐体１の内面１Ａよりも外部へヒンジ部３自身が膨出せぬようにフラットな状態に形成されている。即ち、このヒンジ部３では、下側筐体１の一方側の側部を切り欠いて形成した被嵌合部である第１ヒンジ部３Ａと、これに対応する上側筐体２の一方側の側部の内面２Ａにおいて、下側筐体１の内面１Ａに向けて突出する嵌合部であって、第１ヒンジ部３Ａに回動可能に係合する第２ヒンジ部３Ｂとを備えている。
【００２６】
アンテナ４は、図３に示すように、ヒンジ部３内に出し入れ可能に収納されている。特に、このアンテナ４は、下側筐体１をテーブル５の上面５Ａ上に載置して上側筐体２を開き、電子手帳として使用する際に、上面５Ａへ向けて接近する方向に角度αだけ傾斜するよう構成されている。また、このアンテナ４は、収納時には、テーブル５の上面５Ａとの接触を避けることができる長さに突出させてある。なお、アンテナ４のヘッド部４Ａは、普段、支持部材１３の支持孔１３ａ（図３参照）内部に、基部側が収納された固定するようになっている。
【００２７】
次に、この実施形態の携帯情報端末装置の作用について説明する。
図１に示すように、上側筐体２を閉じると、上側筐体２の外面２Ｂを携帯電話機として使用することができる。この場合、送話口１２を口に受話口２４を耳に当てて使用するため、通常、上側筐体２と下側筐体１とを縦方向に立てて手で持つこととなるが、上側筐体２の方が長さＳだけ短いために、上側筐体２と下側筐体１の露出領域との境界部分に凹凸の段差を生じている。特に、この使用状態では、境界部分より上部が側方に突出することとなるわけである。
【００２８】
即ち、この携帯情報端末装置を携帯電話機として縦向きで使用すると、上側筐体２の外面２Ｂの方が、下側筐体１の凸部１ｃよりも水平方向に突出している。従って、上側筐体２の下端面２Ｃ（図１参照）を下側から手や指で添えるようにして係止させることで、手や指に下端面２Ｃが引っ掛かる状態で保持されるので、この携帯情報端末装置を誤って滑らせて落とし、破損させるといったトラブルを防止できる。
【００２９】
しかも、アンテナ４は、下側筐体１の外面１Ｂから遠ざかる方向に傾斜させて配設されているので、使用者の頭などの生体部分がアンテナ４の近くにあることなどの影響で、アンテナ４としての特性が低下するといったトラブルを抑制できるとともに、使用者の頭などに対する電磁波の悪影響なども回避できる。
【００３０】
一方、図２に示すように、電子手帳などとして使用する場合には、適宜の作業台、例えば水平に設けたテーブル５に下側筐体１を載置する。そして、この下側筐体１の外部に露出している凸部１ｃを片方の手で押さえながら、反対の手で上側筐体２の両側部、即ちヒンジ部４側の側部及びこれとは反対側の側部を挟持し、この上側筐体２を開いていく方向に回動させる。
【００３１】
これにより、上側筐体２を容易に開放することができる。なお、開き始めから所定の角度まで、図示外の自閉手段の自閉力が作用している場合には、その自閉力に抗してある程度大きな操作力で開放させることが必要であるが、その後、所定の開き角度になると、自閉力が作用しなくなりフリーの状態となるので、軽い操作力で開くことができる。
【００３２】
なお、この実施形態では、横開き方式で構成したが、縦開き方式のものであってもよい。
【００３３】
【発明の効果】
以上説明してきたように、この発明によれば、第１筐体に対しヒンジ部を介して第２筐体を開閉可能に取り付けた携帯情報端末機器であって、第２筐体の方を第１筐体よりも小さく形成してある。従って、第１、第２の筐体を閉じたときには、第１筐体の第２筐体に閉合されずに残っている領域、つまり第１筐体の外部に露出する領域が１段低い状態となって閉合された段差を有していることとなる。その結果、この露出領域と第２筐体との境界である段差部分を手がかりにして、第１筐体のみを簡単に、かつ、確実に手で固定・保持できるようになり、筐体の開放動作を容易に行うことができる。
【００３４】
特に、この携帯情報端末機器を縦向きで使用する場合には、この段差部分は上部の方が突出する状態であれば、段差部に手や指を添えることで、落下を防止できるので、使用時の安全性も高まる。
【図面の簡単な説明】
【図１】本発明に係る携帯情報端末装置を携帯電話機として使用するときの状態を示す斜視図である。
【図２】図１に示す携帯情報端末装置を電子手帳として使用するときの状態示す斜視図ある。
【図３】図１に示す携帯情報端末装置のアンテナを収容するヒンジ部の構成を示す断面図である。
【符号の説明】
１      下側筐体（第１筐体）
１Ａ    内面
１Ｂ    外面
１ａ      凹部
１ｃ      凸部
１１      キーボード
１２      送話口
１３      支持部材
２        上側筐体（第２筐体）
２Ａ      内面
２Ｂ      外面
２Ｃ      下端面
２１      液晶表示画面
３        ヒンジ部
３Ａ      第１ヒンジ部
３Ｂ      第２ヒンジ部
４        アンテナ
４Ａ      ヘッド部
５        テーブル
５Ａ      上面（作業面）
【図１】
2006222472.tif 000003
【図２】
2006222472.tif 000004
【図３】
2006222472.tif 000005